(57)【要約】【課題】電波環境に応じて設置するアンテナの本数が異なる場合であっても、１種類のＴＶ受信増幅装置で対応できるようにする。【解決手段】広域放送と県域放送の放送波が全て同一方向から到来する場合は、受信信号を入力端子３１に入力し、分配器３３の分配信号を増幅ユニット３４ａ〜３４ｇに入力すると共に切換スイッチ３６ａ〜３６ｃで選択して増幅ユニット３５ａ〜３５ｃに入力する。広域放送と県域放送の放送波が全て違う方向から到来する場合には、広域放送の受信信号を入力端子３１に入力し、県域放送の受信信号を入力端子３２ａ〜３２ｃに入力して切換スイッチ３６ａ〜３６ｃで選択する。増幅ユニット３４ａ〜３４ｇは、分配されたＴＶ信号の中から広域放送の特定チャンネルを増幅する。増幅ユニット３５ａ〜３５ｃは、切換スイッチ３６ａ〜３６ｃで選択されたＴＶ信号の中から県域放送の特定チャンネルを増幅する。【選択図】      図１
2006101143.tif 000002
【特許請求の範囲】
【請求項１】
地上波ＴＶ放送を受信し、チャンネル専用増幅ユニットによりチャンネル別に増幅するＴＶ受信増幅装置において、広域放送あるいは広域放送と県域放送を含む受信信号が入力される広域／県域放送受信用の入力端子と、県域放送受信用の入力端子と、広域放送用のチャンネル専用増幅ユニットと、県域放送用のチャンネル専用増幅ユニットと、前記広域／県域放送受信用の入力端子に入力される受信信号を前記広域放送用のチャンネル専用増幅ユニット及び県域放送用のチャンネル専用増幅ユニットに分配する分配器と、前記分配器により前記県域放送用のチャンネル専用増幅ユニットに分配される受信信号と前記県域放送受信用の入力端子に入力される受信信号とを切換えて前記県域放送用のチャンネル専用増幅ユニットに入力する切換スイッチとを具備したことを特徴とするＴＶ受信増幅装置。
【発明の詳細な説明】
【技術分野】
【０００１】
本発明は、地上波ＴＶ放送を受信し、各チャンネル毎にレベル調整、帯域制限等の処理を行なって伝送路に出力するＴＶ受信増幅装置に関する。
【背景技術】
【０００２】
地上波ＴＶ（テレビジョン）放送を受信し、増幅、周波数変換等の処理を行なって例えばＣＡＴＶシステムにより共同受信設備等に再送信するＴＶ受信増幅装置では、受信した地上波ＴＶ放送を各チャンネル毎に処理し、帯域外の信号を抑圧すると共に信号レベルを所定のレベルに合わせた後、伝送路に出力している（例えば、特許文献１参照。）。
【０００３】
上記地上波ＴＶ放送では、例えば共用のアンテナタワーから広域のエリアに向けて送信する広域放送と、各県毎に独自の放送を行なっている県域放送がある。各放送地域におけるチャンネル配置はほぼ一定であり、例えば広域放送では共用のアンテナタワーから７波程度の放送波が送信され、県域放送では各放送局のアンテナからそれぞれ１波の放送波が送信される。この場合、県域放送では、通常、複数例えば３局程度の放送局が設けられている。
【０００４】
上記広域放送と県域放送を同時に受信する場合、共用のアンテナタワーと県域放送局の位置関係から、ＴＶ受信用のアンテナとＴＶ受信増幅装置との接続には、種々の接続状態が考えられる。
【０００５】
図３〜図５は、広域放送７波と３個所から送信される県域放送を同時に受信する場合のＴＶアンテナとＴＶ受信増幅装置との接続例を示したものである。
【０００６】
図３は、広域放送と県域放送の放送波が全て同一方向から到来し、かつアンテナとＴＶ受信増幅装置の設置場所の関係から１本の信号線（ケーブル）が使用される場合の接続例である。この場合には、広域放送と県域放送の放送波を１つのＴＶアンテナ１１で受信し、その受信信号をＴＶ受信増幅装置２０の入力端子２１に入力する。ＴＶ受信増幅装置２０は、入力端子２１に入力された受信信号を分配器２２により、広域放送用のチャンネル専用増幅ユニット２３ａ〜２３ｇ及び県域放送用のチャンネル専用増幅ユニット２４ａ〜２４ｃに分配する。
【０００７】
上記広域放送用の増幅ユニット２３ａ〜２３ｇは、分配器２２により分配されたＴＶ信号の中からそれぞれ予め設定された広域放送の特定チャンネルを選択し、増幅、レベル調整、帯域制限、周波数変換等の処理を行なう。また、県域放送用の増幅ユニット２４ａ〜２４ｃは、分配器２２により分配されたＴＶ信号の中からそれぞれ予め設定された県域放送の特定チャンネルを選択し、増幅、レベル調整、帯域制限、周波数変換等の処理を行なう。
【０００８】
図４は、広域放送と３個所の県域放送の放送波が全て違う方向から到来する場合のＴＶアンテナとＴＶ受信増幅装置との接続例である。この場合には、広域放送受信用のＴＶアンテナ１１と、県域放送受信用の３つのＴＶアンテナ１２ａ〜１２ｃをそれぞれ各局の送信用アンテナの方向に向けて設置する。そして、ＴＶアンテナ１１で受信した広域放送の受信信号をＴＶ受信増幅装置２０の第１の入力端子２１ａに入力し、ＴＶアンテナ１２ａ〜１２ｃで受信した県域放送の受信信号をＴＶ受信増幅装置２０の第２〜第４の入力端子２１ｂ〜２１ｄに入力する。
【０００９】
ＴＶ受信増幅装置２０は、第１の入力端子２１ａに入力された広域放送の受信信号を分配器２２により広域放送用の増幅ユニット２３ａ〜２３ｇに分配する。また、ＴＶ受信増幅装置２０は、第２〜第４の入力端子２１ｂ〜２１ｄに入力された県域放送の受信信号をそれぞれ県域放送用の増幅ユニット２４ａ〜２４ｃに入力する。
【００１０】
広域放送用の増幅ユニット２３ａ〜２３ｇは、分配器２２により分配されたＴＶ信号の中から広域放送の特定チャンネルを選択し、増幅、レベル調整等を行なう。また、県域放送用の増幅ユニット２４ａ〜２４ｃは、入力端子２１ｂ〜２１ｄを介して入力されるＴＶ信号の中から県域放送の特定チャンネルを選択し、増幅、レベル調整等を行なう。
【００１１】
図５は、広域放送と３個所の県域放送の放送波が全て違う方向から到来する場合において、ＴＶアンテナとＴＶ受信増幅装置との他の接続例を示したものである。この場合には、広域放送受信用のＴＶアンテナ１１と、県域放送受信用の３つのＴＶアンテナ１２ａ〜１２ｃをそれぞれ各局の送信用アンテナの方向に向けて設置する。そして、広域放送受信用のＴＶアンテナ１１と県域放送受信用のＴＶアンテナ１２ａ〜１２ｃの受信信号を混合器１３で混合した後、ＴＶ受信増幅装置２０の入力端子２１に入力する。
【００１２】
ＴＶ受信増幅装置２０は、入力端子２１に入力された受信信号を分配器２２により広域放送用の増幅ユニット２３ａ〜２３ｇ及び県域放送用の増幅ユニット２４ａ〜２４ｃに分配する。
【００１３】
上記広域放送用の増幅ユニット２３ａ〜２３ｇは、分配器２２により分配されたＴＶ信号の中からそれぞれ予め設定された広域放送の特定チャンネルを選択して増幅、レベル調整等を行なう。また、県域放送用の増幅ユニット２４ａ〜２４ｃは、分配器２２により分配されたＴＶ信号の中からそれぞれ予め設定された県域放送の特定チャンネルを選択して増幅、レベル調整等を行なう。
【特許文献１】特開２００３−３０９７３９号公報
【発明の開示】
【発明が解決しようとする課題】
【００１４】
上記のように広域放送と県域放送を同時に受信する場合、アンテナの受信信号はケーブルを介してＴＶ受信増幅装置２０に入力されるが、電波の到来方向がＴＶ受信増幅装置２０の設置位置により異なるため、１本のアンテナで良い場合や複数本のアンテナを必要とする場合がある。また、ＴＶ受信増幅装置２０は、接続するアンテナ、またはアンテナ線の数に応じて機器内部の構成を変えるか、アンテナの受信信号を機器外部にて混合するなどの作業が必要である。
【００１５】
しかしながら、機器の構成を変えるためには、事前に設置する場所の電波環境、すなわち設置するアンテナの本数等を把握しなくてはならないので、設置工事直前の変更は困難である。また、ＴＶ受信増幅装置２０を設置する場所において、機器外部に分配器や混合器を接続する等の作業は非常に効率が悪い。
【００１６】
本発明は上記の課題を解決するためになされたもので、電波環境に応じて設置するアンテナの本数が異なる場合であっても、外部に混合器等を設けることなく確実に対応することができるＴＶ受信増幅装置を提供することを目的とする。
【課題を解決するための手段】
【００１７】
本発明は、地上波ＴＶ放送を受信し、チャンネル専用増幅ユニットによりチャンネル別に増幅するＴＶ受信増幅装置において、広域放送あるいは広域放送と県域放送を含む受信信号が入力される広域／県域放送受信用の入力端子と、県域放送受信用の入力端子と、広域放送用のチャンネル専用増幅ユニットと、県域放送用のチャンネル専用増幅ユニットと、前記広域／県域放送受信用の入力端子に入力される受信信号を前記広域放送用のチャンネル専用増幅ユニット及び県域放送用のチャンネル専用増幅ユニットに分配する分配器と、前記分配器により前記県域放送用のチャンネル専用増幅ユニットに分配される受信信号と前記県域放送受信用の入力端子に入力される受信信号とを切換えて前記県域放送用のチャンネル専用増幅ユニットに入力する切換スイッチとを具備したことを特徴とする。
【発明の効果】
【００１８】
本発明によれば、広域放送と県域放送の放送波が全て同一方向から到来し、その放送波を１つのＴＶアンテナで受信する場合であっても、あるいは広域放送と県域放送の放送波が全て違う方向から到来し、各放送波をそれぞれ異なるＴＶアンテナで受信する場合であっても、切換スイッチを切換えるだけで容易に対応できる。従って、電波環境に応じて設置するアンテナの本数が異なる場合であっても、１種類のＴＶ受信増幅装置で対応することが可能になる。
【発明を実施するための最良の形態】
【００１９】
以下、図面を参照して本発明の一実施形態を説明する。  
図１は、本発明の一実施形態に係るＴＶ受信増幅装置３０の基本的な回路構成図であり、広域放送７波と３個所から送信される県域放送を同時に受信する場合の例を示したものである。
【００２０】
ＴＶ受信増幅装置３０には、図１に示すように広域放送あるいは広域放送と県域放送を含む受信信号が入力される広域／県域放送受信用の入力端子３１と、県域放送受信用の複数例えば３つの入力端子３２ａ〜３２ｃが設けられる。上記入力端子３１には、ＴＶアンテナにより受信された広域放送のＴＶ信号、あるいは広域放送と県域放送を含むＴＶ信号が入力される。また、入力端子３２ａ〜３２ｃには、ＴＶアンテナにより受信された県域放送のＴＶ信号が入力される。
【００２１】
上記入力端子３１に入力されたＴＶ信号は、分配器３３に入力され、広域放送用のチャンネル専用増幅ユニット３４ａ〜３４ｇ及び県域放送用のチャンネル専用増幅ユニット３５ａ〜３５ｃに分配される。この場合、分配器３３と県域放送用の増幅ユニット３５ａ〜３５ｃとの間には、切換スイッチ３６ａ〜３６ｃが設けられる。すなわち、切換スイッチ３６ａ〜３６ｃの一方の入力端子ａには分配器３３により分配されたＴＶ信号が入力され、他方の入力端子ｂには上記入力端子３２ａ〜３２ｃから県域放送のＴＶ信号が入力される。切換スイッチ３６ａ〜３６ｃは、上記入力端子ａに入力される分配器３３からのＴＶ信号、あるいは入力端子３２ａ〜３２ｃから入力されるＴＶ信号を切換端子ｃにより切換えて増幅ユニット３５ａ〜３５ｃに入力する。上記増幅ユニット３４ａ〜３４ｇ、３５ａ〜３５ｃは、着脱可能に設けられる。
【００２２】
上記広域放送用の増幅ユニット３４ａ〜３４ｇは、広域放送における７波の中から特定チャンネルを選択するように予め設定されている。従って、広域放送用の増幅ユニット３４ａ〜３４ｇは、分配器３３により分配されたＴＶ信号の中からそれぞれ広域放送の特定チャンネルを選択し、信号を増幅すると共に例えばレベル調整、帯域制限、周波数変換等の処理を行なった後、混合器３７に出力する。
【００２３】
また、県域放送用の増幅ユニット３５ａ〜３５ｃは、予め特定の県域放送を選択するように予め設定されている。従って、県域放送用の増幅ユニット３５ａ〜３５ｃは、切換スイッチ３６ａ〜３６ｃにより選択されたＴＶ信号の中からそれぞれ県域放送の特定チャンネルを選択し、信号を増幅すると共に例えばレベル調整、帯域制限、周波数変換等の処理を行なった後、混合器３７に出力する。
【００２４】
混合器３７は、上記広域放送用の増幅ユニット３４ａ〜３４ｇ及び県域放送用の増幅ユニット３５ａ〜３５ｃから出力される各チャンネルのＴＶ信号を混合し、出力端子３８から伝送路例えば同軸ケーブルに出力する。
【００２５】
上記の構成において、上記図３の場合と同様に広域放送と県域放送の放送波が全て同一方向から到来し、その放送波を１つのＴＶアンテナ（図示せず）で受信する場合には、該ＴＶアンテナで受信したＴＶ信号をＴＶ受信増幅装置３０の入力端子３１に入力すると共に、切換スイッチ３６ａ〜３６ｃの切換端子ｃを入力端子ａ側に切換える。
【００２６】
上記の状態では、ＴＶアンテナで受信された広域放送と県域放送の放送波は、入力端子３１より分配器３３を介して広域放送用の増幅ユニット３４ａ〜３４ｇに入力されると共に、更に切換スイッチ３６ａ〜３６ｃを介して県域放送用の増幅ユニット３５ａ〜３５ｃに入力される。
【００２７】
上記広域放送用の増幅ユニット３４ａ〜３４ｇは、分配器３３により分配されたＴＶ信号の中からそれぞれ広域放送の特定チャンネルを選択し、増幅、レベル調整、帯域制限、周波数変換等の処理を行なって混合器３７へ出力する。
【００２８】
また、上記県域放送用の増幅ユニット３５ａ〜３５ｃは、分配器３３から切換スイッチ３６ａ〜３６ｃを介して入力されるＴＶ信号の中からそれぞれ県域放送の特定チャンネルを選択し、増幅、レベル調整、帯域制限、周波数変換等の処理を行なって混合器３７へ出力する。  
混合器３７は、上記広域放送用の増幅ユニット３４ａ〜３４ｇ及び県域放送用の増幅ユニット３５ａ〜３５ｃから出力される各チャンネルのＴＶ信号を混合し、出力端子３８から外部の伝送路に出力する。
【００２９】
また、図４の場合と同様に、広域放送と３個所の県域放送の放送波が全て違う方向から到来する場合には、図示しないが、広域放送受信用のＴＶアンテナと、県域放送受信用の３つのＴＶアンテナをそれぞれ各局の送信用アンテナの方向に向けて設置し、広域放送受信用のＴＶ受信アンテナで受信したＴＶ信号をＴＶ受信増幅装置３０の入力端子３１に入力し、県域放送受信用の３つのＴＶアンテナで受信したＴＶ信号をＴＶ受信増幅装置３０の入力端子３２ａ〜３２ｃに入力する。そして、切換スイッチ３６ａ〜３６ｃの切換端子ｃを入力端子ｂ側に切換え、入力端子３２ａ〜３２ｃを介して入力される県域放送信号を選択する。
【００３０】
上記の状態では、広域放送受信用のＴＶアンテナで受信された広域放送の放送波は、入力端子３１より分配器３３を介して広域放送用の増幅ユニット３４ａ〜３４ｇに入力され、それぞれ特定チャンネルが選択され、増幅、レベル調整等の処理が行なわれた後、混合器３７へ出力される。
【００３１】
また、県域放送受信用の３つのＴＶアンテナで受信されたＴＶ信号は、入力端子３２ａ〜３２ｃより切換スイッチ３６ａ〜３６ｃを介して県域放送用の増幅ユニット３５ａ〜３５ｃに入力され、それぞれ特定のチャンネルが選択され、増幅、レベル調整等の処理が行なわれた後、混合器３７へ出力される。
【００３２】
混合器３７は、上記広域放送用の増幅ユニット３４ａ〜３４ｇ及び県域放送用の増幅ユニット３５ａ〜３５ｃから出力される各チャンネルのＴＶ信号を混合し、出力端子３８から外部の伝送路に出力する。
【００３３】
上記実施形態によれば、切換スイッチ３６ａ〜３６ｃを設け、入力端子３１より分配器３３を介して分配されるＴＶ信号と、県域放送受信用の入力端子３２ａ〜３２ｃに入力される県域放送のＴＶ信号とを選択的に切換えて県域放送用の増幅ユニット３５ａ〜３５ｃに入力するように構成しているので、広域放送と県域放送の放送波が全て同一方向から到来し、その放送波を１つのＴＶアンテナで受信する場合であっても、あるいは広域放送と県域放送の放送波が全て違う方向から到来し、各放送波をそれぞれ異なるＴＶアンテナで受信する場合であっても、切換スイッチ３６ａ〜３６ｃを切換えるだけで容易に対応することができる。従って、電波環境に応じて設置するアンテナの本数が異なる場合であっても、１種類のＴＶ受信増幅装置で対応することが可能になる。
【００３４】
次に、本発明に係るＴＶ受信増幅装置３０の具体的な構成例について、図２を参照して説明する。  
この図２に示す例では、広域／県域放送受信用の入力端子３１と、５つの県域放送受信用の入力端子３２ａ〜３２ｅを設けている。そして、上記入力端子３１と分配器３３との間には、コンデンサ４１、分岐器４２、アッテネータ４３，広帯域増幅器４４が直列に設けられる。上記分岐器４２により分岐された信号は、ライン入力モニタ用のモニタ端子４５へ送られる。そして、上記分配器３３で分配された信号は、広域放送用の増幅ユニット３４ａ〜３４ｇに入力されると共に、切換スイッチ３６ａ〜３６ｅを介して県域放送用の増幅ユニット３５ａ〜３５ｅに入力される。上記増幅ユニット３４ａ〜３４ｇ、３５ａ〜３５ｅは、着脱可能に設けられる。
【００３５】
また、上記入力端子３２ａ〜３２ｅと切換スイッチ３６ａ〜３６ｅとの間には、それぞれコンデンサ５１ａ〜５１ｅと分岐器５２ａ〜５２ｅが直列に設けられる。上記分岐器５２ａ〜５２ｅにより分岐されるＴＶ信号は、県域放送モニタ用のモニタ端子５３ａ〜５３ｅに入力される。
【００３６】
上記切換スイッチ３６ａ〜３６ｅは、２回路の接点を備え、分配器３３で分配されたＴＶ信号と入力端子３２ａ〜３２ｅを介して入力される県域放送のＴＶ信号とを切換端子により切換えて増幅ユニット３５ａ〜３５ｅに入力するが、切換端子がＴＶ信号を選択していない状態では、終端抵抗５４ａ〜５４ｊにより終端されるようになっている。
【００３７】
そして、上記広域放送用の増幅ユニット３４ａ〜３４ｇ及び県域放送用の増幅ユニット３５ａ〜３５ｅの出力信号は、混合器３７により混合され、広帯域増幅器５５、アッテネータ５６、分岐器５７、コンデンサ５８を介して出力端子３８より出力される。上記広帯域増幅器５５は、着脱可能に設けられ、性能が劣化した場合に容易に交換できるようになっている。また、分岐器５７により分岐された信号は、コンデンサ５９を介してモニタ端子６０へ送られる。このモニタ端子６０によりＴＶ受信増幅装置３０の出力信号がモニタできるようになっている。
【００３８】
また、ＴＶ受信増幅装置３０内には、電源部６１が設けられる。この電源部６１は、電源端子６２に供給される交流電源（ＡＣ）を所定の直流電圧に変換し、増幅ユニット３４ａ〜３４ｇ、３５ａ〜３５ｅに動作電源として供給する。
【００３９】
また、出力端子３８には、該出力端子３８に接続される電子機器から必要に応じて交流電源（ＡＣ）が高周波信号に重畳して入力され、高周波コイル６３及び電源ライン６４を介して電源部６１に与えられる。上記外部の電子機器から出力端子３８に交流電源が与えられる場合、電源部６１の電源端子６２には交流電源は供給されない。上記電源部６１は、外部の電子機器から出力端子３８を介して交流電源が与えられた場合、この交流電源（ＡＣ）を所定の直流電圧に変換して上記増幅ユニット３４ａ〜３４ｇ、３５ａ〜３５ｅに動作電源として供給する。
【００４０】
また、上記外部の電子機器から出力端子３８及び高周波コイル６３を介して電源ライン６４に供給される交流電源は、更にスイッチ６５及び高周波コイル６６を介して入力端子３１に送られる共に、スイッチ６７ａ〜６７ｅ及び高周波コイル６８ａ〜６８ｅを介して入力端子３２ａ〜３２ｅに送られる。すなわち、入力端子３１、３２ａ〜３２ｅに例えば増幅器等の他の電子機器が接続される場合に、スイッチ６５、６７ａ〜６７ｅにより選択して前段の電子機器に交流電源を供給できるようになっている。
【００４１】
上記図２に示した例においても、図１の場合と同様に広域放送と県域放送の放送波が全て同一方向から到来し、その放送波を１つのＴＶアンテナで受信する場合であっても、あるいは広域放送と県域放送の放送波が全て違う方向から到来し、各放送波をそれぞれ異なるＴＶアンテナで受信する場合であっても、切換スイッチ３６ａ〜３６ｅを切換えることによって容易に対応することができる。
【００４２】
また、図２に示した例では、５つの県域放送受信用の入力端子３２ａ〜３２ｅを備えているので、５つの県域放送まで対応することができる。更に、増幅ユニット３５ａ〜３５ｅは、着脱可能に設けられているので、県域放送の数、すなわち県域放送を受信するＴＶアンテナの数に合わせて装着することができる。
【００４３】
また、ＴＶ受信増幅装置３０を設置する地域の電波環境に合わせて切換スイッチ３６ａ〜３６ｅを切換えた場合に、非選択側の切換端子に終端抵抗が接続されるので、信号の反射等を生じることなく、安定した動作を行なわせることができる。
【００４４】
また、各入力端子３１、３２ａ〜３２ｅの信号ラインにモニタ端子４５、５３ａ〜５３ｅを備えると共に、信号出力側にモニタ端子６０を備えているので、入力信号及び出力信号をそれぞれモニタすることが可能である。
【００４５】
なお、上記実施形態では、広域放送が７チャンネル設けられている場合について説明したが、それ以外のチャンネル数であっても上記実施形態と同様にして対応し得るものである。  
また、本発明は、上記実施形態そのままに限定されるものではなく、実施段階ではその要旨を逸脱しない範囲で構成要素を変形して具体化できるものである。
【図面の簡単な説明】
【００４６】
【図１】本発明の一実施形態に係るＴＶ受信増幅装置の基本的な回路構成図である。
【図２】同実施形態におけるＴＶ受信増幅装置の具体的な回路構成図である。
【図３】従来の広域放送７波と３個所から送信される県域放送を同時に受信する場合のＴＶアンテナとＴＶ受信増幅装置との接続例を示す図である。
【図４】従来の広域放送と３個所の県域放送の放送波が全て違う方向から到来する場合のＴＶアンテナとＴＶ受信増幅装置との接続例を示す図である。
【図５】従来の広域放送と３個所の県域放送の放送波が全て違う方向から到来する場合におけるＴＶアンテナとＴＶ受信増幅装置との他の接続例を示す図である。
【符号の説明】
【００４７】
３０…ＴＶ受信増幅装置、３１、３２ａ〜３２ｅ…入力端子、３３…分配器、３４ａ〜３４ｇ…広域放送用のチャンネル専用増幅ユニット、３５ａ〜３５ｅ…県域放送用のチャンネル専用増幅ユニット、３６ａ〜３６ｅ…切換スイッチ、３７…混合器、３８…出力端子、４１…コンデンサ、４２…分岐器、４３…アッテネータ、４４…広帯域増幅器、４５…モニタ端子、５１ａ〜５１ｅ…コンデンサ、５２ａ〜５２ｅ…分岐器、５３ａ〜５３ｅ…モニタ端子、５４ａ〜５４ｊ…終端抵抗、５５…広帯域増幅器、５６…アッテネータ、５７…分岐器、５８、５９…コンデンサ、５９…コンデンサ、６０…モニタ端子、６１…電源部、６２…電源端子、６３…高周波コイル、６４…電源ライン、６５、６７ａ〜６７ｅ…スイッチ、６６、６８ａ〜６８ｅ…高周波コイル。
【図１】
2006101143.tif 000003
【図２】
2006101143.tif 000004
【図３】
2006101143.tif 000005
【図４】
2006101143.tif 000006
【図５】
2006101143.tif 000007